(57)【要約】【課題】室内空間の狭小化を防止するとともに、内装仕上げ面の美観が損なわれるのを防止する。【解決手段】内装材１２の表面に長尺板状部材２２が固定され、この長尺板状部材２２に接着体２４を介して壁板材２８が取り付けられる。したがって、内装材１２と壁板材２８との間に生じるスペースの厚みは、長尺板状部材２２の厚みと接着体２４の厚みとを合わせた程度に抑えられることとなり、室内空間が狭小化する心配はない。また、このスペースは、長尺板状部材２２間に配置されたスペーサ２６によって保持されるので、壁板材２８が波打ったりする心配はない。【選択図】      図１
2004285650.tif 000002
【特許請求の範囲】
【請求項１】
壁面を構成する内装材、
前記内装材の表面に所定間隔を隔てて固定された複数の長尺板状部材、
前記長尺板状部材のそれぞれに接着体を介して取り付けられた壁板材、および
前記長尺板状部材間に配置され、前記内装材と前記壁板材との間に生じたスペースを保持するスペーサを備える、内装構造。
【請求項２】
前記長尺板状部材の横断面は略四角形である、請求項１に記載の内装構造。
【請求項３】
前記内装材の表面の少なくとも前記長尺板状部材が固定される箇所には、表面平滑材が塗布された、請求項１または２に記載の内装構造。
【請求項４】
壁面を構成する既存の内装材の表面に新たな壁板材を取り付ける、内装施工方法であって、
複数の長尺板状部材を前記内装材の表面に互いに所定間隔を隔てて固定し、その後、前記長尺板状部材のそれぞれに接着体を介して前記壁板材を取り付けるとともに、前記内装材と前記壁板材との間に生じたスペースを保持するスペーサを前記長尺板状部材間に設ける、内装施工方法。
【発明の詳細な説明】
【０００１】
【発明の属する技術分野】
本発明は、内装材を撤去することなく内装をリフォームするための内装構造および内装施工方法に関する。
【０００２】
【従来の技術】
住宅の内装材は、一般に、石膏ボードや構造用合板等のような内装下地材と、壁紙等のような内装仕上げ材とによって構成されている。そして、従来、内装をリフォームする際には、既存の内装仕上げ材を剥がし、内装下地材の不陸をシーラー等で平滑化した後、内装下地材の表面に新たな内装仕上げ材を貼り付けるようにしていた。
【０００３】
しかし、このような施工方法では、内装仕上げ材を貼り替える作業が面倒であり、また、内装下地材の傷みが激しい場合には、内装下地材ごと貼り替える必要があるため、施工性が悪いという問題があった。
【０００４】
そこで、特公平６−７８６７９号公報では、既存の内装材を撤去することなく内装をリフォームする施工方法が提案されている。この施工方法は、既存の内装仕上げ材の表面にレール部材を固定し、レール部材の表面に新たな内装材を貼り付けるようにしたものである（特許文献１）。
【０００５】
【特許文献１】
特公平６−７８６７９号
【０００６】
【発明が解決しようとする課題】
しかし、上述の従来技術（特許文献１）では、タイル等のような重量のある内装材を用いることを前提としているため、レール部材には、内装材の大荷重に耐えうる強度が要求されていた。そのため、レール部材が大型化し、既存の内装材と新たな内装材との間に生じるスペースが大きくなり、室内空間が狭くなってしまうという問題があった。
【０００７】
また、レール部材には、新たな内装材を支持するための突片が設けられており、この突片が内装仕上げ面に現れていたため、内装仕上げ面の美観が損なわれるという問題もあった。
【０００８】
それゆえに、本発明の主たる目的は、室内空間の狭小化を防止できるとともに、内装仕上げ面の美観が損なわれるのを防止できる、内装構造および内装施工方法を提供することである。
【０００９】
【課題を解決するための手段】
請求項１に記載した発明は、「壁面を構成する内装材１２、内装材１２の表面に所定間隔を隔てて固定された複数の長尺板状部材２２、長尺板状部材２２のそれぞれに接着体２４を介して取り付けられた壁板材２８、および長尺板状部材２２間に配置され、内装材１２と壁板材２８との間に生じたスペースを保持するスペーサ２６を備える、内装構造１０」である。
【００１０】
この発明では、内装材１２の表面に長尺板状部材２２を固定し、この長尺板状部材２２に接着体２４を介して壁板材２８を取り付けるようにしているので、内装材１２と壁板材２８との間に生じるスペースの厚みは、長尺板状部材２２の厚みと接着体２４の厚みとを合わせた程度に抑えられる。また、このスペースは、長尺板状部材２２間に配置されたスペーサ２６によって保持される。
【００１１】
請求項２に記載した発明は、請求項１に記載した発明において、「長尺板状部材２２の横断面は略四角形である」ことを特徴とする。
【００１２】
この発明において、長尺板状部材２２は、横断面が略四角形の極めて単純な形状であるため、その製造が容易である。
【００１３】
請求項３に記載した発明は、請求項１または２に記載した発明において、「内装材１２の表面の少なくとも長尺板状部材２２が固定される箇所には、表面平滑材が塗布された」ことを特徴とする。
【００１４】
この発明では、表面平滑材によって内装材１２の表面が平滑にされるので、内装材１２の表面に固定される長尺板状部材２２が安定し、壁板材２８の取り付けが容易になる。
【００１５】
請求項４に記載した発明は、「壁面を構成する既存の内装材１２の表面に新たな壁板材２８を取り付ける、内装施工方法であって、複数の長尺板状部材２２を内装材１２の表面に互いに所定間隔を隔てて固定し、その後、長尺板状部材２２のそれぞれに接着体２４を介して壁板材２８を取り付けるとともに、内装材１２と壁板材２８との間に生じたスペースを保持するスペーサ２６を長尺板状部材２２間に設ける、内装施工方法」である。
【００１６】
この発明では、内装材１２の表面に長尺板状部材２２を固定し、この長尺板状部材２２に接着体２４を介して壁板材２８を取り付けるようにしているので、内装材１２と壁板材２８との間に生じるスペースの厚みは、長尺板状部材２２の厚みと接着体２４の厚みとを合わせた程度に抑えられる。また、このスペースは、長尺板状部材２２間に設けられたスペーサ２６によって保持される。
【００１７】
【発明の実施の形態】
図１〜図３を参照して、本発明が適用された内装構造１０は、壁面を構成する既存の内装材１２を撤去することなく、内装をリフォームするためのものである。
【００１８】
ここで、既存の内装材１２は、柱１４や横架材１６等に釘やネジ等で固定された内装下地材１８と、内装下地材１８の表面に貼り付けられた内装仕上げ材２０とによって構成されている。そして、内装構造１０においては、内装材１２の表面に長尺板状部材２２，接着体２４およびスペーサ２６を介して壁板材２８が取り付けられる。
【００１９】
なお、内装材１２を構成する内装下地材１８としては、石膏ボードや構造用合板等のような板材が用いられるのが一般的であり、内装仕上げ材２０としては、壁紙等のようなシート材が用いられるのが一般的であるが、これらの材質は特に限定されるものではない。また、装飾機能を有する内装下地材１８を用いることによって内装仕上げ材２０を省略してもよい。
【００２０】
長尺板状部材２２は、図２および図３に示すように、略四角形の横断面を有する長尺で板状の部材であり、長尺板状部材２２には、固定具３０を挿通するための複数の孔３２が所定間隔ごとに設けられる。また、長尺板状部材２２の一方主面は、内装材１２の表面に沿うように平坦に形成され、他方主面には、接着体２４が取り付けられる。そして、この長尺板状部材２２が、孔３２に挿通された固定具３０を用いて内装材１２の表面に取り付けられる。
【００２１】
なお、長尺板状部材２２の材質は特に限定されるものではなく、たとえば、ＡＢＳやＰＰ（ポリプロピレン）等のような合成樹脂，硬質ウレタン等のような硬質ゴム，高強度繊維の他、合板等のような木材，アルミや鋼板等のような金属等を材料として用いることができる。また、固定具３０の種類は特に限定されるものではなく、たとえば、釘，ネジ（ビス），石膏用アンカー，フィニッシュネイル，ステープル等を固定具３０として用いることができる。
【００２２】
接着体２４は、長尺板状部材２２に対して壁板材２８を取り付けるものである。接着体２４の種類は特に限定されるものではなく、たとえば、両面テープ（接着剤が両面に付いた粘着テープ），接着剤，面ファスナー等のいずれか一つを用いることができ、また、これらの二つ以上を併用することもできる。
【００２３】
なお、接着体２４として両面テープを用いる場合には、厚みは薄い方がよく、たとえば、不織布，ポリスチレン，ＰＥＴ等からなる基材の両面にアクリル系，ブチルゴム系，ゴムアスファルト系等の粘着層を形成したもの等を用いることができる。また、接着体２４として接着剤を用いる場合には、たとえば、変成シリコン樹脂接着剤等を用いることができる。さらに、接着体２４と長尺板状部材２２とを一体化して用いるようにしてもよい。
【００２４】
スペーサ２６は、長尺板状部材２２間に配置されて、内装材１２と壁板材２８との間に生じたスペースを保持するものである。スペーサ２６の種類は特に限定されるものではなく、たとえば、両面テープ（接着剤が両面に付いた粘着テープ），接着剤，発泡系フォーム等を用いることができる。
【００２５】
なお、スペーサ２６として両面テープを用いる場合には、厚みは厚い方がよく、たとえば、発泡ポリマー等からなる基材の両面にアクリル系等の粘着層を形成したものを用いることができる。
【００２６】
壁板材２８は、既存の内装材１２に代わる新たな内装材となるものであり、接着体２４を介して長尺板状部材２２に取り付けられる。壁板材２８の種類は特に限定されるものではなく、たとえば、石膏ボード，ケイ酸カルシウム板，スラグ石膏板，ダイライト（商品名：大建工業株式会社製），火山性ガラス質複層板，木質繊維板，ロックウール繊維板，挽材，合板，木質繊維板（ＩＢ，ＭＤＦ等），木削片板（パーティクルボード，ストランドボード，ＯＳＢ等），集成材，単板積層材等を用いることができる。
【００２７】
また、壁板材２８の表面には、鏡面化粧や着色を施してもよく、また、柄模様印刷を施してもよい。さらに、壁板材２８の表面には、塩化ビニル壁紙，オレフィン壁紙，紙壁紙，絹や麻や綿等の天然素材を原料とした壁紙，珪藻土を原料とした壁紙等を貼り付けてもよい。
【００２８】
このような内装構造１０を用いて内装をリフォームする際には、まず、図４に示すように、表面に接着体２４が取り付けられた複数の長尺板状部材２２を準備し、これらを内装材１２の表面に固定具３０を用いて固定する。続いて、図５に示すように、内装材１２の表面における長尺板状部材２２間にスペーサ２６を接着等により固定する。その後、図６に示すように、壁板材２８を、接着体２４を介して各長尺板状部材２２に固定する。
【００２９】
この実施例によれば、内装材１２の表面に長尺板状部材２２を固定し、この長尺板状部材２２に接着体２４を介して壁板材２８を取り付けるようにしているので、内装材１２と壁板材２８との間に生じるスペースの厚みは、長尺板状部材２２の厚みと接着体２４の厚みとを合わせた厚みとなり、従来技術に比べて大幅に薄くなる。また、このスペースは、長尺板状部材２２間に配置されたスペーサ２６によって保持されるので、壁板材２８が薄肉であったとしても壁面が波打ったりする心配はない。
【００３０】
また、長尺板状部材２２は、横断面が略四角形の極めて単純な形状であるため、その製造が容易であり、コストを低減できる。
【００３１】
なお、上述の実施例では、既存の内装材１２の表面に長尺板状部材２２を直接固定しているが、たとえば図７に示すように、内装材１２の表面の少なくとも長尺板状部材２２を固定する箇所に表面平滑材３４を塗布し、その上に長尺板状部材２２を固定してもよい。この場合には、内装材１２の表面の不陸が平滑化されるので、長尺板状部材２２が安定することとなり、壁板材２８の取り付けが容易になる。また、内装構造１０を清潔に保つために、表面平滑材３４に防カビ剤を混入してもよい。
【００３２】
また、上述の実施例では、内装材１２にスペーサ２６を固定した後、壁板材２８を各長尺板状部材２２に固定しているが、壁板材２８の裏面に予めスペーサ２６を固定しておき、壁板材２８を各長尺板状部材２２に固定すると同時にスペーサ２６を長尺板状部材２２間に配置してもよい。また、スペーサ２６として接着剤や発泡系フォームを用いる場合には、壁板材２８を各長尺板状部材２２に固定した後、内装材１２と壁板材２８との間に生じたスペースにスペーサ２６（接着剤や発泡系フォーム）を充填してもよい。
【００３３】
また、上述の実施例では、固定具３０を用いて長尺板状部材２２を内装材１２に固定しているが、たとえば図８〜図１０に示すように、長尺板状部材２２の裏面に爪３６を形成し、この爪３６を内装材１２に食い込ませることによって、長尺板状部材２２を内装材１２に固定してもよい。
【００３４】
図８の長尺板状部材２２は、金属からなる本体部２２ａの一部を切り起こすことによって裏面に爪３６を形成するとともに、表面に接着体２４を取り付けたものであり、図９の長尺板状部材２２は、金属からなる本体部２２ａの一部を切り起こすことによって裏面に爪３６を形成するとともに、表裏両面に接着体２４を取り付けたものである。そして、図１０の長尺板状部材２２は、金属からなる本体部２２ａの一部を切り起こすことによって表裏両面に爪３６を形成するとともに、表裏両面に接着体２４を取り付けたものである。これらのうち、裏面に接着体２４を取り付けたもの（図９，図１０）では、爪３６による内装材１２への固定強度を補強することができ、表面に爪３６を形成したもの（図１０）では、接着体２４による壁板材２８への固定強度を補強することができる。
【００３５】
【発明の効果】
請求項１〜４に記載した発明によれば、内装材の表面に長尺板状部材が固定され、この長尺板状部材に接着体を介して壁板材が取り付けられるので、内装材と壁板材との間に生じるスペースの厚みは、長尺板状部材の厚みと接着体の厚みとを合わせた厚みとなり、従来技術に比べて大幅に薄くなる。したがって、室内空間の狭小化を防止できる。
【００３６】
そして、内装材と壁板材との間に生じるスペースは、長尺板状部材間に配置されたスペーサによって保持されるので、壁板材が薄肉であったとしても壁面が波打ったりするのを防止できる。また、長尺板状部材には、従来技術のような突片がなく、突片が内装仕上げ面に現れるようなことはない。したがって、内装仕上げ面の美観が損なわれる心配はない。
【図面の簡単な説明】
【図１】内装構造を示す斜視図である。
【図２】内装構造を示す部分拡大図である。
【図３】内装構造を示す部分拡大断面図である。
【図４】長尺板状部材の取り付け工程を示す斜視図である。
【図５】スペーサの取り付け工程を示す斜視図である。
【図６】壁板材の取り付け工程を示す斜視図である。
【図７】表面平滑材を塗布した状態を示す斜視図である。
【図８】長尺板状部材の変形例（裏面に爪、表面に接着体）を示す斜視図である。
【図９】長尺板状部材の変形例（裏面に爪、表裏両面に接着体）を示す斜視図である。
【図１０】長尺板状部材の変形例（表裏両面に爪および接着体）を示す斜視図である。
【符号の説明】
１０…  内装構造
１２…  内装材
１４…  柱
１６…  横架材
１８…  内装下地材
２０…  内装仕上げ材
２２…  長尺板状部材
２２ａ…  本体部
２４…  接着体
２６…  スペーサ
２８…  壁板材
３０…  固定具
３２…  孔
３４…  表面平滑材
３６…  爪
【図１】
2004285650.tif 000003
【図２】
2004285650.tif 000004
【図３】
2004285650.tif 000005
【図４】
2004285650.tif 000006
【図５】
2004285650.tif 000007
【図６】
2004285650.tif 000008
【図７】
2004285650.tif 000009
【図８】
2004285650.tif 000010
【図９】
2004285650.tif 000011
【図１０】
2004285650.tif 000012